(57)【要約】【課題】論理チャンネルの優先順位及び伝送すべきデータの特性を一緒に参照してＴＦＣの選択を行うことで、安定にデータを伝送し得る移動通信システムのＭＡＣ階層上のデータ伝送方法を提供しようとする。【解決手段】一つの伝送チャンネルに複数の論理チャンネルのデータをマッチングして物理チャンネルに伝送する無線システムにおいて、前記各論理チャンネルからバッファのデータ量及び伝送すべきデータの特性を表す情報を受信する段階と、前記伝送チャンネルで前記各論理チャンネルの優先順位及び前記データの特性に基づいて特定論理チャンネルのデータを選択する選択段階と、を順次行うことでデータを伝送する。【選択図】  図２
2004312681.tif 000002
【特許請求の範囲】
【請求項１】
一つの伝送チャンネルに複数の論理チャンネルのデータをマッチングして物理チャンネルに伝送する無線システムにおいて、
前記各論理チャンネルからバッファのデータ量及び伝送すべきデータの特性を表す情報を受信する段階と、
前記伝送チャンネルで前記各論理チャンネルの優先順位及び前記データの特性に基づいて特定論理チャンネルのデータを選択する選択段階と、
を順次行うことを特徴とする移動通信システムのデータ伝送方法。
【請求項２】
前記データの特性は、
再伝送データの有無を表すことを特徴とする請求項１に記載の移動通信システムのデータ伝送方法。
【請求項３】
前記再伝送データの有無は、
“真（Ｔｒｕｅ）又は誤（Ｆａｌｓｅ）”で表示されることを特徴とする請求項２に記載の移動通信システムのデータ伝送方法。
【請求項４】
前記データの特性を表す情報は、
ＭＡＣ＿ＳＴＡＴＵＳ＿ＲＥＳＰプリミティブ（Ｐｒｉｍｉｔｉｖｅ）に包含されることを特徴とする請求項１に記載の移動通信システムのデータ伝送方法。
【請求項５】
前記ＭＡＣ＿ＳＴＡＴＵＳ＿ＲＥＳＰプリミティブは、
再伝送データ量を表す情報を追加して包含することを特徴とする請求項４に記載の移動通信システムのデータ伝送方法。
【請求項６】
前記データの選択段階は、
再伝送データを包含する論理チャンネルが存在するかを判断する段階と、
前記再伝送データを包含する論理チャンネルが存在すると、該当論理チャンネルの優先順位に基づいて論理チャンネルを選択する段階と、
から構成されることを特徴とする請求項１〜３の何れか一つに記載の移動通信システムのデータ伝送方法。
【請求項７】
前記再伝送データを包含する論理チャンネルが存在するかを判断する段階は、
“真（Ｔｒｕｅ）又は誤（Ｆａｌｓｅ）”で表示されたデータの特性を通して判断することを特徴とする請求項６に記載の移動通信システムのデータ伝送方法。
【請求項８】
前記論理チャンネルの選択は、
論理チャンネルの優先順位より、再伝送データの有無をより高い優先順位にすることを特徴とする請求項１に記載の移動通信システムのデータ伝送方法。
【請求項９】
一つの伝送チャンネルに優先順位を有する複数の論理チャンネルのデータをマッチングして物理チャンネルに伝送する無線システムにおいて、
前記伝送チャンネルで前記各論理チャンネルの優先順位及び再伝送データの有無によって特定論理チャンネルのデータを選択して伝送することを特徴とする移動通信システムのデータ伝送方法。
【請求項１０】
前記再伝送データの有無は、
ＭＡＣ＿ＳＴＡＴＵＳ＿ＲＥＳＰプリミティブに包含されることを特徴とする請求項９に記載の移動通信システムのデータ伝送方法。
【請求項１１】
前記ＭＡＣ＿ＳＴＡＴＵＳ＿ＲＥＳＰプリミティブは、
再伝送データ量を表す情報を追加して包含することを特徴とする請求項１０に記載の移動通信システムのデータ伝送方法。
【請求項１２】
前記再伝送データを包含する論理チャンネルのデータは、
論理チャンネルの優先順位より更に高い優先順位を先に伝送するようなことを特徴とする請求項９に記載の移動通信システムのデータ伝送方法。
【請求項１３】
前記特定論理チャンネルの選択は、
前記再伝送データを包含する論理チャンネルが複数の場合、該当論理チャンネルの優先順位に基づいて行われることを特徴とする請求項９に記載の移動通信システムのデータ伝送方法。
【請求項１４】
前記特定論理チャンネルの選択は、
前記再伝送データを包含する論理チャンネルがない場合、各論理チャンネルの優先順位に基づいて行うことを特徴とする請求項９に記載の移動通信システムのデータ伝送方法。
【発明の詳細な説明】
【技術分野】
【０００１】
本発明は移動通信システムに係るもので、詳しくは、媒体接続制御（Ｍｅｄｉｕｍ  Ａｃｃｅｓｓ  Ｃｏｎｔｒｏｌ：以下、ＭＡＣと略称す）階層上のデータ伝送方法に関するものである。
【背景技術】
【０００２】
一般に、ＩＭＴ−２０００のＭＡＣは、物理階層（ＰＨＹｓｉｃａｌ  ｌａｙｅｒ：以下、ＰＨＹと略称す）、無線リンク制御階層（Ｒａｄｉｏ  Ｌｉｎｋ  Ｃｏｎｔｒｏｌ：以下、ＲＬＣと略称す）及び無線資源制御階層（Ｒａｄｉｏ  Ｒｅｓｏｕｒｃｅ  Ｃｏｎｔｒｏｌ：以下、ＲＲＣと略称す）にそれぞれ連結されている。そして、前記ＭＡＣは、複数の上位階層で発生したデータを、割り当てられた伝送チャンネルを通して下位階層に伝達する役割を果たすものであって、そのＭＡＣは、各上位階層のデータ伝送要求に応じて適切な伝送チャンネルを選択する機能を行い、該伝送チャンネルにマッピングされた複数の論理チャンネルに伝送量を效率的に割り当てる機能を行う。
【０００３】
また、一つの伝送チャンネルにマッピングされた複数の論理チャンネルは、それぞれ優先順位（ｐｒｉｏｒｉｔｙ）を有するため、前記ＭＡＣにおいては、論理チャンネルの優先順位に基づいて、優先順位の最も高い論理チャンネルのデータが多く伝送されるようにＴＦＣ（Ｔｒａｎｓｐｏｒｔ  Ｆｏｒｍａｔ  Ｃｏｍｂｉｎａｔｉｏｎ）の選択過程を行い、前記ＭＡＣ階層のＴＦＣはＲＲＣにより制御される。
【０００４】
図５は従来のＭＡＣ階層とＲＬＣ階層間のプリミティブ（Ｐｒｉｍｉｔｉｖｅ）を示した図で、図示されたように、伝送されるデータの情報を送受信するため、各論理チャンネル及び伝送チャンネルは、ＭＡＣ階層とＲＬＣ階層間のＭＡＣ＿ＤＡＴＡプリミティブ及びＭＡＣ＿ＳＴＡＴＵＳプリミティブを使用する。
【０００５】
一般に、プリミティブは、上位階層と下位階層間に命令形態及びデータ形態で送受信情報を交換するものであって、上位階層と下位階層間の要求（Ｒｅｑｕｅｓｔ）、指示（Ｉｎｄｉｃａｔｉｏｎ）、応答（Ｒｅｓｐｏｎｓｅ）及び確認（Ｃｏｎｆｉｒｍ）などのインターフェースを提供する。
【０００６】
即ち、ＭＡＣ  ＴＦＣ選択過程を行った後、前記伝送チャンネルは、選択された論理チャンネルの現在バッファにあるデータの伝送を要求するときＭＡＣ＿ＤＡＴＡ＿ＩＮＤプリミティブを使用し、前記各論理チャンネルは、前記要求に応じてＭＡＣ＿ＤＡＴＡ＿ＲＥＱプリミティブを使用することでプロトコルデータユニット（Ｐｒｏｔｏｃｏｌ  Ｄａｔａ  Ｕｎｉｔ：以下、ＰＤＵと略称す）を前記伝送チャンネルに伝送する。
【０００７】
また、前記伝送チャンネルは、伝送可能なＰＤＵの大きさ及びＰＤＵの数を前記各論理チャンネルに通報するときＭＡＣ＿ＳＴＡＴＵＳ＿ＩＮＤプリミティブを使用し、前記各論理チャンネルは、これに対する応答として、現在バッファにあるデータ量を前記伝送チャンネルに通報するときＭＡＣ＿ＳＴＡＴＵＳ＿ＲＥＳＰプリミティブを使用する。
【０００８】
図６は一般の論理チャンネル及び伝送チャンネルのマッピング関係を示した説明図で、図示されたように、前記伝送チャンネルは、物理チャンネルと１対１に連結され、三つの論理チャンネルがマッピングされている。
【０００９】
以下、このように構成された従来のＭＡＣ階層上のデータ伝送方法に対し、図７及び図８に基づいて説明する。
【００１０】
図７は従来のＭＡＣ階層上のデータ伝送方法を示した第１信号フローチャートで、図示されたように、各論理チャンネルは、第５、第６及び第７論理チャンネルの順に高い優先順位を有し、このとき、前記第６論理チャンネルの内部バッファには二つのＰＤＵが存在し、残りの第５及び第７論理チャンネルの内部バッファにはデータが存在しない場合である。
【００１１】
前記物理チャンネルからＣＦＮ（Ｃｏｎｎｅｃｔｉｏｎ  Ｆｒａｍｅ  Ｎｕｍｂｅｒ）値が前記伝送チャンネルに通報されると（Ｓ１０１）、該伝送チャンネルは、前記ＣＦＮ値と前記伝送チャンネルのＴＴＩ（Ｔｒａｎｓｍｉｓｓｉｏｎ  Ｔｉｍｅ  Ｉｎｔｅｒｖａｌ）値とを比較する（Ｓ１０２）。次いで、二つの値が一致すると、データ伝送が許容された状態であるのでＴＦＣ選択過程を行うため、前記伝送チャンネルは、現在伝送可能なＰＤＵの大きさを表すＰＤＵ＿ｓｉｚｅ応答フィールド及び伝送可能なＰＤＵの数を表すＮｏ＿ＰＤＵ応答フィールドを包含するＭＡＣ＿ＳＴＡＴＵＳ＿ＩＮＤプリミティブを前記各論理チャンネルに通報する（Ｓ１０３〜Ｓ１０５）。次いで、これに対する応答として、前記各論理チャンネルは、現在の内部バッファに入っているデータ量を表すためのＢｕｆｆｅｒ  Ｏｃｃｕｐａｎｃｙ（ＢＯ）応答フィールドが包含されたＭＡＣ＿ＳＴＡＴＵＳ＿ＲＥＳＰプリミティブを前記伝送チャンネルにそれぞれ通報する（Ｓ１０６〜Ｓ１０８）。
【００１２】
次いで、前記伝送チャンネルは、前記各論理チャンネルから通報されたデータ量及びチャンネル優先順位に基づいてＴＦＣ選択過程を行う（Ｓ１０９）。次いで、前記伝送チャンネルは、優先順位が高く、伝送すべきデータが多い論理チャンネルにデータ伝送を要求する。即ち、前記伝送チャンネルは、前記第６論理チャンネルに二つのＰＤＵが存在するため、前記第６論理チャンネルにデータの伝送を要求し（Ｓ１１０）、前記第６論理チャンネルは、前記伝送チャンネルの要求に応じて二つのＰＤＵを伝達する（Ｓ１１１）。
【００１３】
従って、前記伝送チャンネルは、前記第６論理チャンネルから伝達された二つのＰＤＵを前記物理チャンネルを通して受信端に伝送し（Ｓ１１２）、伝送途中にデータの損失が発生すると、ピア（ｐｅｅｒ）から再伝送の要求を受けるようになる（Ｓ１１３）。
【００１４】
以下、前記第６論理チャンネルが前記ピアから再伝送の要求を受けた後、前記第５論理チャンネルの内部バッファにデータ量が増加して多量のデータが存在する場合のデータ伝送方法に対し、図８に基づいて説明する。
【００１５】
前記物理チャンネルからＣＦＮ値が前記伝送チャンネルに通報されると（Ｓ２０１）、前記伝送チャンネルは、ＣＦＮ値と該伝送チャンネルのＴＴＩ値とを比較し（Ｓ２０２）、次いで、二つの値が一致すると、ＭＡＣ＿ＳＴＡＴＵＳ＿ＩＮＤプリミティブを使用して、再び前記各論理チャンネルに現在伝送可能なＰＤＵの大きさ及びＰＤＵの数をそれぞれ通報する（Ｓ２０３〜Ｓ２０５）。その後、これに対する応答として、前記各論理チャンネルは、ＭＡＣ＿ＳＴＡＴＵＳ＿ＲＥＳＰプリミティブを使用して、内部バッファのデータ量を前記伝送チャンネルにそれぞれ通報する（Ｓ２０６〜Ｓ２０８）。
【００１６】
次いで、前記伝送チャンネルは、前記各論理チャンネルから通報されたデータ量及び優先順位に基づいてＴＦＣの選択を行い、このとき、前記伝送チャンネルは、優先順位が最も高く、伝送すべきデータ量が最も多い前記第５論理チャンネルのデータが最も多く伝送されるようにＴＦＣの選択を行う（Ｓ２０９）。従って、前記第６論理チャンネルより優先順位が高い前記第５論理チャンネルにＰＤＵを伝送することが要求され（Ｓ２１０）、前記第５論理チャンネルのＰＤＵが前記伝送チャンネルに入力され（Ｓ２１１）、前記物理チャンネルを通して前記受信端に伝送される（２１２）。
【００１７】
然し、このようにスペック（ｓｐｅｃｉｆｉｃａｔｉｏｎ）に基づいてＭＡＣ  ＴＦＣの選択を行う場合、優先順位が高い前記第５論理チャンネルのデータが伝送されるため、前記第６論理チャンネルは、再伝送の要求に対して応答することができないという状態になるので、円滑にデータ伝送を行うことができず、よって、前記第６論理チャンネルにＲＬＣ  ｒｅｓｅｔ及びＲＬＣ  ＳＤＵ  ｄｉｓｃａｒｄのような非正常なＲＬＣ動作（Ａｂｎｏｒｍａｌ  ＲＬＣ  Ｐｒｏｃｅｄｕｒｅ）が発生するようになる（Ｓ２１３）。
【特許文献１】韓国特許出願公開第２００２−０３８１８１号明細書
【特許文献２】韓国特許出願公開第２００１−００８７３４号明細書
【特許文献３】特開第２００２−０２６９９１号公報
【発明の開示】
【発明が解決しようとする課題】
【００１８】
このような従来のＭＡＣ階層上のデータ伝送方法においては、ＴＦＣ選択過程で論理チャンネルの優先順位のみに基づいてデータ伝送を行うため、再伝送の要求時、特定論理チャンネルのデータは前記再伝送の要求に応答することができない状態が発生することで、伝送システムが膠着状態（ｄｅａｄｌｏｃｋ）に陥るようになるという不都合な点があった。
【００１９】
従って、本発明は、このような従来の課題に鑑みてなされたもので、本発明の目的は、論理チャンネルの優先順位及び伝送すべきデータの特性を一緒に参照してＴＦＣの選択を行うことで、安定にデータを伝送し得る移動通信システムのＭＡＣ階層上のデータ伝送方法を提供することにある。
【課題を解決するための手段】
【００２０】
このような目的を達成するため、本発明に係る移動通信システムのデータ伝送方法においては、一つの伝送チャンネルに複数の論理チャンネルのデータをマッチングして物理チャンネルに伝送する無線システムにおいて、前記各論理チャンネルからバッファのデータ量及び伝送すべきデータの特性を表す情報を受信する段階と、前記伝送チャンネルで前記各論理チャンネルの優先順位及び前記データの特性に基づいて特定論理チャンネルのデータを選択する選択段階と、を順次行うことを特徴とする。
【００２１】
また、前記データの特性は、再伝送データの有無を表すことを特徴とする。
【００２２】
また、前記再伝送データの有無は、“真（Ｔｒｕｅ）又は誤（Ｆａｌｓｅ）”で表示されることを特徴とする。
【００２３】
また、前記情報は、ＭＡＣ＿ＳＴＡＴＵＳ＿ＲＥＳＰプリミティブに包含されることを特徴とする。
【００２４】
また、前記ＭＡＣ＿ＳＴＡＴＵＳ＿ＲＥＳＰプリミティブは、再伝送データ量を表す情報を追加して包含することを特徴とする。
【００２５】
また、前記データの選択段階は、前記再伝送データを包含する論理チャンネルが存在するかを判断する段階と、前記再伝送データを包含する論理チャンネルが存在すると、該当論理チャンネルの優先順位に基づいて論理チャンネルを選択する段階と、から構成されることを特徴とする。
【００２６】
また、前記再伝送データを包含する論理チャンネルが存在するかを判断する段階は、“真（Ｔｒｕｅ）又は誤（Ｆａｌｓｅ）”で表示されたデータの特性を通して判断することを特徴とする。
【００２７】
また、本発明に係る移動通信システムのデータ伝送方法においては、一つの伝送チャンネルに優先順位を有する複数の論理チャンネルのデータをマッチングして物理チャンネルに伝送する無線システムにおいて、前記伝送チャンネルで前記各論理チャンネルの優先順位及び再伝送データの有無によって特定論理チャンネルのデータを選択して伝送することを特徴とする。
【００２８】
また、前記再伝送データを包含する論理チャンネルのデータは、論理チャンネルの優先順位より更に高い優先順位をおいて先に伝送されるようにすることを特徴とする。
【００２９】
また、前記特定論理チャンネルの選択は、前記再伝送データを包含する論理チャンネルが複数の場合、該当論理チャンネルの優先順位に基づいて行うことを特徴とする。
【００３０】
また、前記特定論理チャンネルの選択は、前記再伝送データを包含する論理チャンネルがない場合、各論理チャンネルの優先順位に基づいて行うことを特徴とする。
【００３１】
本発明による移動通信システムのデータ伝送方法は、一つの伝送チャンネルに複数の論理チャンネルのデータをマッチングして物理チャンネルに伝送する無線システムにおいて、前記各論理チャンネルからバッファのデータ量及び伝送すべきデータの特性を表す情報を受信する段階と、前記伝送チャンネルで前記各論理チャンネルの優先順位及び前記データの特性に基づいて特定論理チャンネルのデータを選択する選択段階と、を順次行うことを特徴とし、これにより上記目的が達成される。
【００３２】
前記データの特性は、再伝送データの有無を表すことを特徴としてもよい。
【００３３】
前記再伝送データの有無は、“真（Ｔｒｕｅ）又は誤（Ｆａｌｓｅ）”で表示されることを特徴としてもよい。
【００３４】
前記データの特性を表す情報は、ＭＡＣ＿ＳＴＡＴＵＳ＿ＲＥＳＰプリミティブ（Ｐｒｉｍｉｔｉｖｅ）に包含されることを特徴としてもよい。
【００３５】
前記ＭＡＣ＿ＳＴＡＴＵＳ＿ＲＥＳＰプリミティブは、再伝送データ量を表す情報を追加して包含することを特徴としてもよい。
【００３６】
前記データの選択段階は、再伝送データを包含する論理チャンネルが存在するかを判断する段階と、前記再伝送データを包含する論理チャンネルが存在すると、該当論理チャンネルの優先順位に基づいて論理チャンネルを選択する段階と、から構成されることを特徴としてもよい。
【００３７】
前記再伝送データを包含する論理チャンネルが存在するかを判断する段階は、“真（Ｔｒｕｅ）又は誤（Ｆａｌｓｅ）”で表示されたデータの特性を通して判断することを特徴としてもよい。
【００３８】
前記論理チャンネルの選択は、論理チャンネルの優先順位より、再伝送データの有無をより高い優先順位にすることを特徴としてもよい。
【００３９】
本発明による移動通信システムのデータ伝送方法は、一つの伝送チャンネルに優先順位を有する複数の論理チャンネルのデータをマッチングして物理チャンネルに伝送する無線システムにおいて、前記伝送チャンネルで前記各論理チャンネルの優先順位及び再伝送データの有無によって特定論理チャンネルのデータを選択して伝送することを特徴とし、これにより上記目的が達成される。
【００４０】
前記再伝送データの有無は、ＭＡＣ＿ＳＴＡＴＵＳ＿ＲＥＳＰプリミティブに包含されることを特徴としてもよい。
【００４１】
前記ＭＡＣ＿ＳＴＡＴＵＳ＿ＲＥＳＰプリミティブは、再伝送データ量を表す情報を追加して包含することを特徴としてもよい。
【００４２】
前記再伝送データを包含する論理チャンネルのデータは、論理チャンネルの優先順位より更に高い優先順位を先に伝送するようなことを特徴としてもよい。
【００４３】
前記特定論理チャンネルの選択は、前記再伝送データを包含する論理チャンネルが複数の場合、該当論理チャンネルの優先順位に基づいて行われることを特徴としてもよい。
【００４４】
前記特定論理チャンネルの選択は、前記再伝送データを包含する論理チャンネルがない場合、各論理チャンネルの優先順位に基づいて行うことを特徴としてもよい。
【発明の効果】
【００４５】
本発明に係る移動通信システムのデータ伝送方法においては、ＭＡＣ階層で複数の論理チャンネルのデータを一つの伝送チャンネルを通して物理チャンネル側に伝送するとき、該論理チャンネルの優先順位のみに基づいてデータ伝送を行うことではなく、優先順位及びデータの特性に基づいてＴＦＣの選択を行うため、如何なる場合も恒常正常な過程を通してデータ伝送を行い得るという効果がある。
【発明を実施するための最良の形態】
【００４６】
以下、本発明の実施の形態に対し、図面に基づいて説明する。
【００４７】
本発明は、データの特性を表す応答フィールドを追加参照してＴＦＣの選択を行うことで、正常なデータ伝送を行い得るようにする方案を提示する。
【００４８】
即ち、本発明に係る移動通信システムのデータ伝送方法おいては、図１に示したように、各論理チャンネルは受信したＭＡＣ＿ＳＴＡＴＵＳ＿ＩＮＤプリミティブに応答して、データの特性及びデータ量を包含するＭＡＣ＿ＳＴＡＴＵＳ＿ＲＥＳＰプリミティブを伝送チャンネルに伝達する。このとき、前記各論理チャンネルには、ＭＡＣ＿ＳＴＡＴＵＳ＿ＲＥＳＰプリミティブに、現在伝送すべきデータに再伝送データが包含されているかを表す応答フィールド（ＩｓＲｅｔｒａｎｓｍｉｔｔｅｄ）及び再伝送データ量を表示する応答フィールド（Ｎｕｍｏｆ  Ｒｅｓｔｒａｎｓｍｉｔｔｅｄ）が包含される。且つ、前記応答フィールド（ＩｓＲｅｔｒａｎｓｍｉｔｔｅｄ）は、“真（Ｔｒｕｅ）又は誤（Ｆａｌｓｅ）”に表現される。
【００４９】
図２は本発明に係るＭＡＣ階層上のデータ伝送方法の第１実施形態を示した信号フローチャートで、図示されたように、第５、第６及び第７論理チャンネルの三つの論理チャンネルが一つの伝送チャンネルにマッピングされている。ここで、各論理チャンネルの優先順位は、第５、第６及び第７論理チャンネルの順に高く設定されている。
【００５０】
且つ、前記第６論理チャンネルの内部バッファには再伝送する二つのＰＤＵが格納され、前記第５論理チャンネルの内部バッファには伝送する三つのＰＤＵが格納され、前記第７論理チャンネルの内部バッファには伝送すべきデータが格納されていない。
【００５１】
また、図２に示したように、まず、物理チャンネルは前記伝送チャンネルにＣＦＮ値を伝送し（Ｓ３０１）、前記伝送チャンネルは、ＣＦＮ値と該伝送チャンネルのＴＴＩ値とを比較する（Ｓ３０２）。次いで、それら二つの値が一致すると、前記物理チャンネルにデータ伝送が許容された状態であるため、前記伝送チャンネルは、前記各論理チャンネルにＭＡＣ＿ＳＴＡＴＵＳ＿ＩＮＤプリミティブを伝送する（Ｓ３０３〜Ｓ３０５）。次いで、これに応答して、前記各論理チャンネルは、ＭＡＣ＿ＳＴＡＴＵＳ＿ＲＥＳＰプリミティブを使用して、現在論理チャンネルに存在するデータ量（Ｂｕｆｆｅｒ  Ｏｃｃｕｐａｎｃｙ：ＢＯ）を表す応答フィールド、現在再伝送すべきデータが包含されているかを表す応答フィールド（ＩｓＲｅｔｒａｎｓｍｉｔｔｅｄ）及び再伝送すべきデータの量を表す応答フィールド（Ｎｕｍｏｆ  Ｒｅｔｒａｎｓｍｉｔｔｅｄ）を前記伝送チャンネルにそれぞれ伝達する（Ｓ３０６〜Ｓ３０８）。
【００５２】
従って、前記伝送チャンネルは、前記各論理チャンネルのＭＡＣ＿ＳＴＡＴＵＳ＿ＲＥＳＰプリミティブを通して伝達された優先順位及びデータの特性に基づいてＴＦＣの選択を行う（Ｓ３０９）。このとき、再伝送データが論理チャンネルの優先順位より更に高い優先順位を有するようにＴＦＣの選択を行う。
【００５３】
即ち、前記伝送チャンネルは、前記再伝送データに優先順位をおいてＴＦＣの選択を行うことで、前記第５論理チャンネルの優先順位が前記第６論理チャンネルの優先順位より高く、伝送すべきデータ量が多いが、前記第６論理チャンネルにデータ伝送を要求する（Ｓ３１０）。
【００５４】
図３は本発明に係るＭＡＣ階層におけるデータ伝送方法の第２実施形態を示した信号フローチャートで、図示されたように、第５、第６及び第７論理チャンネルの三つの論理チャンネルが一つの伝送チャンネルにマッピングされ、ここで、各論理チャンネルの優先順位は、第５、第６及び第７論理チャンネルの順に高く設定されている。
【００５５】
且つ、前記第６及び第７論理チャンネルの内部バッファにはそれぞれ再伝送すべき二つのＰＤＵが格納され、前記第５論理チャンネルの内部バッファには伝送すべきＰＤＵが三つ格納されている。
【００５６】
まず、物理チャンネルが前記伝送チャンネルにＣＦＮ値を伝送すると（Ｓ４０１）、前記伝送チャンネルは、それらＣＦＮ値とＴＴＩ値とを比較する（Ｓ４０２）。次いで、二つの値が一致すると、前記物理チャンネルにデータ伝送が許容された状態であるため、前記伝送チャンネルは、前記各論理チャンネルにＭＡＣ＿ＳＴＡＴＵＳ＿ＩＮＤプリミティブをそれぞれ伝送する（Ｓ４０３〜Ｓ４０５）。次いで、これに応答して、前記各論理チャンネルは、ＭＡＣ＿ＳＴＡＴＵＳ＿ＲＥＳＰプリミティブを使用して、現在論理チャンネルに存在するデータ量（Ｂｕｆｆｅｒ  Ｏｃｃｕｐａｎｃｙ：ＢＯ）を表す応答フィールド、現在再伝送すべきデータが包含されているかを表す応答フィールド（ＩｓＲｅｔｒａｎｓｍｉｔｔｅｄ）及び再伝送すべきデータ量を表す応答フィールド（Ｎｕｍｏｆ  Ｒｅｔｒａｎｓｍｉｔｔｅｄ）を前記伝送チャンネルにそれぞれ伝送する（Ｓ４０６〜Ｓ４０８）。
【００５７】
次いで、前記伝送チャンネルは、前記各論理チャンネルのＭＡＣ＿ＳＴＡＴＵＳ＿ＲＥＳＰプリミティブの通報を受け、優先順位及びデータの特性に基づいてＴＦＣの選択を行う。このとき、再伝送されるデータに対しては、論理チャンネルの優先順位よりも更に高い優先順位を与えて再伝送データが先に伝送されるようにＴＦＣの選択を行う。従って、論理チャンネルの優先順位が高い前記第５論理チャンネルよりも再伝送すべきデータを包含した論理チャンネルのデータが伝送されるようにＴＦＣの選択を行い、再伝送すべきデータを包含した二つの論理チャンネル中、前記第６論理チャンネルの優先順位が高いため、最終的に、前記第６論理チャンネルのデータが多く伝送されるようにＴＦＣの選択を行う（Ｓ４０９）。即ち、複数の論理チャンネルが同時に再伝送を要求する場合、前記伝送チャンネルは、論理チャンネルの優先順位によってＴＦＣの選択を行うようになる。
【００５８】
図４は本発明に係るＭＡＣ階層上のデータ伝送方法を示したフローチャートで、図示されたように、前記伝送チャンネルは、前記物理チャンネルからＣＦＮ値の通報を受けて、該ＣＦＮ値とＴＴＩ値とを比較し（Ｓ５０１）（Ｓ５０２）、それら二つの値が一致すると、前記物理チャンネルにデータ伝送が許容された状態であるため、前記伝送チャンネルは、前記各論理チャンネルにＭＡＣ＿ＳＴＡＴＵＳ＿ＩＮＤプリミティブを伝送する（Ｓ５０３）。これに対する応答として、前記各論理チャンネルは、ＭＡＣ＿ＳＴＡＴＵＳ＿ＲＥＳＰプリミティブを通して、現在バッファのデータ量（Ｂｕｆｆｅｒ  Ｏｃｃｕｐａｎｃｙ：ＢＯ）、現在再伝送すべきデータの有無を表す応答フィールド（ＩｓＲｅｔｒａｎｓｍｉｔｔｅｄ）及び前記再伝送データの量を表す応答フィールド（Ｎｕｍｏｆ  Ｒｅｔｒａｎｓｍｉｔｔｅｄ）を前記伝送チャンネルに伝達する（Ｓ５０４）。
【００５９】
次いで、前記伝送チャンネルは、ＭＡＣ＿ＳＴＡＴＵＳ＿ＲＥＳＰプリミティブから再伝送データの有無を表示した応答フィールド（ＩｓＲｅｔｒａｎｍｍｉｔｔｅｄ）を確認して（Ｓ５０５）、再伝送すべきデータがない場合は論理チャンネルの優先順位に基づいてＴＦＣの選択を行い（Ｓ５０６）、再伝送すべきデータが存在する場合は該再伝送データが存在する論理チャンネルの優先順位に基づいてＴＦＣの選択を行う（Ｓ５０７）。
【００６０】
このようにしてＴＦＣの選択が終了されると、前記伝送チャンネルは、選択された論理チャンネルにＭＡＣ＿ＤＡＴＡ＿ＩＮＤプリミティブを伝送してデータ伝送を要求し（Ｓ５０８）、該当論理チャンネルは、ＭＡＣ＿ＤＡＴＡ＿ＩＮＤプリミティブに応答してデータが包含されたＭＡＣ＿ＤＡＴＡ＿ＲＥＱプリミティブを前記伝送チャンネルに伝達する（Ｓ５０９）。従って、前記伝送チャンネルは、伝達されたデータを前記物理チャンネルを通して受信側に伝送する（５１０）。
【００６１】
以上説明したように、本発明に係る移動通信システムのデータ伝送方法においては、ＭＡＣ階層で複数の論理チャンネルのデータを一つの伝送チャンネルを通して物理チャンネル側に伝送するとき、該論理チャンネルの優先順位のみに基づいてデータ伝送を行うことではなく、優先順位及びデータの特性に基づいてＴＦＣの選択を行うため、如何なる場合も恒常正常な過程を通してデータ伝送を行い得るという効果がある。
【００６２】
論理チャンネルの優先順位及び伝送すべきデータの特性を一緒に参照してＴＦＣの選択を行うことで、安定にデータを伝送し得る移動通信システムのＭＡＣ階層上のデータ伝送方法を提供しようとする。
【００６３】
一つの伝送チャンネルに複数の論理チャンネルのデータをマッチングして物理チャンネルに伝送する無線システムにおいて、前記各論理チャンネルからバッファのデータ量及び伝送すべきデータの特性を表す情報を受信する段階と、前記伝送チャンネルで前記各論理チャンネルの優先順位及び前記データの特性に基づいて特定論理チャンネルのデータを選択する選択段階と、を順次行うことでデータを伝送する。
【００６４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００６５】
【図１】本発明に係るＭＡＣ階層とＲＬＣ階層間のプリミティブを示した図である。
【図２】本発明に係るＭＡＣ階層上のデータ伝送方法の第１実施形態を示した信号フローチャートである。
【図３】本発明に係るＭＡＣ階層上のデータ伝送方法の第２実施形態を示した信号フローチャートである。
【図４】本発明に係るＭＡＣ階層上のデータ伝送方法を示したフローチャートである。
【図５】従来のＭＡＣ階層とＲＬＣ階層間のプリミティブを示した図である。
【図６】一般の論理チャンネル及び伝送チャンネルのマッピング関係を示した説明図である。
【図７】従来のＭＡＣ階層上のデータ伝送方法を示した第１信号フローチャートである。
【図８】従来のＭＡＣ階層上のデータ伝送方法を示した第２信号フローチャートである。
【図１】
2004312681.tif 000003
【図２】
2004312681.tif 000004
【図３】
2004312681.tif 000005
【図４】
2004312681.tif 000006
【図５】
2004312681.tif 000007
【図６】
2004312681.tif 000008
【図７】
2004312681.tif 000009
【図８】
2004312681.tif 000010